(57)【要約】【課題】紹介者および被紹介者が簡単な操作でかつ安心して参加でき、さらに、効率的に紹介者および被紹介者の情報を収集することができる紹介システムの提供。【解決手段】紹介者登録処理２１４は、ユーザ端末２３０から応募メールを受信すると、該ユーザのメールアドレス等を紹介者データベース２１２に記憶する。そして、紹介者の暗号化された情報を含む専用ＵＲＬを生成して該紹介者に送信する。紹介者は、自動生成された紹介メールに宛先を入力して送信することにより、専用ＵＲＬを被紹介者に通知する。被紹介者が専用ＵＲＬにアクセスして自動生成された登録メールを送信すると、ペア登録処理２１５は、紹介者のメールアドレスと被紹介者のメールアドレスとをペア・データベース２１３に記憶する。【選択図】図２
2008117233.tif 000002
【特許請求の範囲】
【請求項１】
紹介者であるユーザと、該紹介者による被紹介者であるユーザとをペア登録するサーバ上の紹介システムであって、
前記紹介者のメールアドレスと、前記紹介者の携帯端末の個体識別番号とを記憶する紹介者記憶手段と、
前記紹介者のメールアドレスと、前記被紹介者のメールアドレスとを記憶するペア記憶手段と、
ユーザの携帯端末から応募メールを受信すると、該応募メールの差出人メールアドレスを前記紹介者記憶手段に記憶することで、紹介者として仮登録する紹介者仮登録手段と、
前記紹介者に対応する専用ＵＲＬを生成して、該専用ＵＲＬを前記紹介者に通知する専用ＵＲＬ通知手段と、
ユーザの携帯端末から前記専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には該携帯端末の前記個体識別番号によりアクセス者が紹介者であるかを判断して、紹介者である場合には紹介者用の専用ページを、紹介者でない場合には被紹介者用の専用ページを生成して該携帯端末に送信する専用ページ送信手段と、
前記本登録用の専用ページから本登録の要求を受信すると、受信した携帯端末の前記個体識別番号を前記紹介者記憶手段に記憶することで、前記紹介者を本登録するとともに、前記紹介者用の専用ページを生成して該携帯端末に送信する紹介者本登録手段と、
前記紹介者用の専用ページ上で操作が行なわれると、携帯端末のメールソフトを起動させ、本文に前記専用ＵＲＬを記載した紹介メールを生成する紹介メール生成手段と、
前記被紹介者用の専用ページ上で操作が行なわれると、携帯端末のメールソフトを起動させ、宛先に前記紹介者に一意のメールアドレスを記載した登録メールを生成する登録メール生成手段と、
前記登録メールを受信すると、該登録メールの宛先メールアドレスにより紹介者を識別して、前記紹介者記憶手段に記憶されている該紹介者の前記メールアドレスと、該登録メールの差出人メールアドレスとを前記ペア記憶手段に登録するペア登録手段と
を備えることを特徴とする紹介システム。
【請求項２】
請求項１に記載の紹介システムにおいて、
前記専用ＵＲＬおよび前記登録メールの宛先は、前記紹介者のメールアドレスを暗号化した文字列からなること
を特徴とする紹介システム。
【請求項３】
請求項１に記載の紹介システムにおいて、
前記専用ＵＲＬおよび前記登録メールの宛先には、前記紹介者のメールアドレスを特定するための文字列が含まれること
を特徴とする紹介システム。
【請求項４】
請求項１〜３のいずれかに記載の紹介システムにおいて、
前記専用ページ送信手段は、さらに、前記専用ＵＲＬにアクセスした端末が携帯電話であるかを判断し、携帯電話である場合にのみ前記専用ページを生成して送信すること
を特徴とする紹介システム。
【請求項５】
請求項１〜４のいずれかに記載の紹介システムにおいて、
前記専用ＵＲＬ通知手段は、前記紹介者に対応する紹介者用の専用ＵＲＬおよび被紹介者用のＵＲＬを生成して、該紹介者用の専用ＵＲＬを前記紹介者に通知し、
前記専用ページ送信手段は、ユーザの携帯端末から前記紹介者用の専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には紹介者用の専用ページを生成して該携帯端末に送信し、ユーザの携帯端末から前記被紹介者用の専用ＵＲＬにアクセスがあると、該専用ＵＲＬにより紹介者を識別して、被紹介者用の専用ページを生成して該携帯端末に送信し、
前記紹介メール生成手段は、本文に前記紹介者用の専用ＵＲＬを記載した紹介メールを生成すること
を特徴とする紹介システム。
【請求項６】
請求項１〜４のいずれかに記載の紹介システムにおいて、
前記紹介者記憶手段には、少なくとも前記紹介者のメールアドレスを記憶しており、
前記専用ＵＲＬ通知手段は、前記紹介者に対応する本登録用の専用ＵＲＬ、紹介者用の専用ＵＲＬ、および被紹介者用のＵＲＬを生成して、該本登録用の専用ＵＲＬを前記紹介者に通知し、
前記専用ページ送信手段は、ユーザの携帯端末から前記本登録用の専用ＵＲＬにアクセスがあると、該専用ＵＲＬにより紹介者を識別して、該紹介者の本登録用の専用ページを生成して該携帯端末に送信し、ユーザの携帯端末から前記紹介者用の専用ＵＲＬにアクセスがあると、該専用ＵＲＬにより紹介者を識別して、紹介者用の専用ページを生成して該携帯端末に送信し、ユーザの携帯端末から前記被紹介者用の専用ＵＲＬにアクセスがあると、該専用ＵＲＬにより紹介者を識別して、被紹介者用の専用ページを生成して該携帯端末に送信し、
前記紹介者本登録手段は、前記本登録用の専用ページから本登録の要求を受信すると、前記本登録を行なうとともに、前記紹介者用の専用ＵＲＬを該携帯端末に通知し、
前記紹介メール生成手段は、本文に前記紹介者用の専用ＵＲＬを記載した紹介メールを生成すること
を特徴とする紹介システム。
【請求項７】
紹介者であるユーザと、該紹介者による被紹介者であるユーザとをペア登録するサーバ上の紹介方法であって、
前記サーバは、前記紹介者のメールアドレスと、前記紹介者の携帯端末の個体識別番号とを記憶する紹介者記憶手段と、前記紹介者のメールアドレスと、前記被紹介者のメールアドレスとを記憶するペア記憶手段とを備え、
ユーザの携帯端末から応募メールを受信すると、該応募メールの差出人メールアドレスを前記紹介者記憶手段に記憶することで、紹介者として仮登録する紹介者仮登録ステップと、
前記紹介者に対応する専用ＵＲＬを生成して、該専用ＵＲＬを前記紹介者に通知する専用ＵＲＬ通知ステップと、
ユーザの携帯端末から前記専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には該携帯端末の前記個体識別番号によりアクセス者が紹介者であるかを判断して、紹介者である場合には紹介者用の専用ページを、紹介者でない場合には被紹介者用の専用ページを生成して該携帯端末に送信する専用ページ送信ステップと、
前記本登録用の専用ページから本登録の要求を受信すると、受信した携帯端末の前記個体識別番号を前記紹介者記憶手段に記憶することで、前記紹介者を本登録するとともに、前記紹介者用の専用ページを生成して該携帯端末に送信する紹介者本登録ステップと、
前記紹介者用の専用ページ上で操作が行なわれると、携帯端末のメールソフトを起動させ、本文に前記専用ＵＲＬを記載した紹介メールを生成する紹介メール生成ステップと、
前記被紹介者用の専用ページ上で操作が行なわれると、携帯端末のメールソフトを起動させ、宛先に前記紹介者に一意のメールアドレスを記載した登録メールを生成する登録メール生成ステップと、
前記登録メールを受信すると、該登録メールの宛先メールアドレスにより紹介者を識別して、前記紹介者記憶手段に記憶されている該紹介者の前記メールアドレスと、該登録メールの差出人メールアドレスとを前記ペア記憶手段に登録するペア登録ステップと
を備えることを特徴とする紹介方法。
【請求項８】
請求項１〜６のいずれかに記載の紹介システムの各手段をコンピュータに機能させるためのプログラム。
【発明の詳細な説明】
【技術分野】
【０００１】
本発明は、紹介者であるユーザと、該紹介者が紹介したユーザ（被紹介者）とをペア登録する紹介システムに関する。
【背景技術】
【０００２】
従来、いわゆる友達紹介キャンペーンが広く行われている。これは、サービスの提供者（店舗や企業等）が行なうキャンペーンであり、サービスの利用者（紹介者）が友人や知人等を紹介し、紹介された者（被紹介者）が該サービスを利用すると、紹介者および被紹介者に賞品やキャッシュバック等のインセンティブを提供するものである。これにより、サービス利用者の増加が期待できる。
【０００３】
最近では、上述のような紹介の仕組みをサーバ上のシステムで実現し、インターネットを通じて紹介を行なえるようにしている場合が多い。
例えば、サービスの利用者（紹介者）であるユーザが、自分の端末から、サーバ上に用意された紹介用のウェブページにアクセスする。そして、紹介用ページ上のメール送信フォームに、紹介したいユーザ（被紹介者）のメールアドレス等を入力して送信する。そうすると、被紹介者のメールアドレス宛てに、キャンペーンの趣旨や登録方法等を示した定型文が書かれた紹介メールが送られる。紹介メールを受信した被紹介者は、そのサービスを利用したい場合には、サーバに用意された申込用ページにアクセスする等によりサービス利用を申し込む。申込みが行われると、サービスの提供者は、紹介者と被紹介者にインセンティブを提供する。
【０００４】
しかしながら、メール送信フォームへのメールアドレス等の手入力は手間であり、特に、携帯電話を用いる場合には、非常に煩雑である。
また、紹介メールの差出人がサービス提供者となり、紹介者が誰であるかの情報（氏名等）は紹介メールの本文内に表示されるにとどまることも多いため、このようなメールをいきなり受け取った被紹介者が不安を覚えることも考えられる。一方で、紹介メールのメールアドレスが間違っていたり、誤って転送された場合等、本文に書かれた紹介者の個人情報がばらまかれるおそれもある。
【０００５】
また、応募型の懸賞やアンケート等において上述のような紹介キャンペーンを行なうことができれば、非常に効果的である。なぜなら、参加者の増加が期待できる上に、収集した紹介者・被紹介者の個人情報を、例えばダイレクトメールやメールマガジンの送付等に利用できるからである。
この場合には、抽選によりインセンティブを提供することが適している。すなわち、応募期間を設けてキャンペーンを行ない、期間終了後に抽選を行なって、当選した紹介者・被紹介者のペアに対して賞品等を提供する。
【０００６】
しかしながら、最近では１人が複数のメールアドレスを所有していることも多く、自分で自分を紹介したり、同じ人を複数回紹介したりすることも可能である。特に、上述した懸賞やアンケート等は、サービスの利用と異なり、メールアドレス以外の個人情報（住所や氏名等）の登録までは求めないことにより参加しやすくしている場合も多いため、この問題が発生しやすい。
したがって、紹介キャンペーンに参加できる端末を、１人１個の所有が大勢である携帯電話に限定する（メールアドレスも１人１個となる）必要性が非常に高い。しかし、携帯電話での操作の煩雑さは、上述した通りである。
【発明の開示】
【発明が解決しようとする課題】
【０００７】
本発明の課題は、紹介者および被紹介者が簡単な操作でかつ安心して参加でき、さらに、効率的に紹介者および被紹介者の情報を収集することができる紹介システムを提供することである。
【課題を解決するための手段】
【０００８】
上記の課題を解決するために、本発明は、紹介者であるユーザと、該紹介者による被紹介者であるユーザとをペア登録するサーバ上の紹介システムであって、前記紹介者のメールアドレスと、前記紹介者の携帯端末の個体識別番号とを記憶する紹介者記憶手段と、前記紹介者のメールアドレスと、前記被紹介者のメールアドレスとを記憶するペア記憶手段と、ユーザの携帯端末から応募メールを受信すると、該応募メールの差出人メールアドレスを前記紹介者記憶手段に記憶することで、紹介者として仮登録する紹介者仮登録手段と、前記紹介者に対応する専用ＵＲＬを生成して、該専用ＵＲＬを前記紹介者に通知する専用ＵＲＬ通知手段と、ユーザの携帯端末から前記専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には該携帯端末の前記個体識別番号によりアクセス者が紹介者であるかを判断して、紹介者である場合には紹介者用の専用ページを、紹介者でない場合には被紹介者用の専用ページを生成して該携帯端末に送信する専用ページ送信手段と、前記本登録用の専用ページから本登録の要求を受信すると、受信した携帯端末の前記個体識別番号を前記紹介者記憶手段に記憶することで、前記紹介者を本登録するとともに、前記紹介者用の専用ページを生成して該携帯端末に送信する紹介者本登録手段と、前記紹介者用の専用ページ上で操作が行なわれると、携帯端末のメールソフトを起動させ、本文に前記専用ＵＲＬを記載した紹介メールを生成する紹介メール生成手段と、前記被紹介者用の専用ページ上で操作が行なわれると、携帯端末のメールソフトを起動させ、宛先に前記紹介者に一意のメールアドレスを記載した登録メールを生成する登録メール生成手段と、前記登録メールを受信すると、該登録メールの宛先メールアドレスにより紹介者を識別して、前記紹介者記憶手段に記憶されている該紹介者の前記メールアドレスと、該登録メールの差出人メールアドレスとを前記ペア記憶手段に登録するペア登録手段とを備えることを特徴とする紹介システムである。
【０００９】
前記専用ＵＲＬおよび前記登録メールの宛先は、前記紹介者のメールアドレスを暗号化した文字列からなることを特徴としてもよい。
また、前記専用ＵＲＬおよび前記登録メールの宛先には、前記紹介者のメールアドレスを特定するための文字列が含まれることを特徴としてもよい。
前記専用ページ送信手段は、さらに、前記専用ＵＲＬにアクセスした端末が携帯電話であるかを判断し、携帯電話である場合にのみ前記専用ページを生成して送信することを特徴としてもよい。
【００１０】
前記専用ＵＲＬ通知手段は、前記紹介者に対応する紹介者用の専用ＵＲＬおよび被紹介者用のＵＲＬを生成して、該紹介者用の専用ＵＲＬを前記紹介者に通知し、前記専用ページ送信手段は、ユーザの携帯端末から前記紹介者用の専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には紹介者用の専用ページを生成して該携帯端末に送信し、ユーザの携帯端末から前記被紹介者用の専用ＵＲＬにアクセスがあると、該専用ＵＲＬにより紹介者を識別して、被紹介者用の専用ページを生成して該携帯端末に送信し、前記紹介メール生成手段は、本文に前記紹介者用の専用ＵＲＬを記載した紹介メールを生成することを特徴としてもよい。
【００１１】
また、前記紹介者記憶手段には、少なくとも前記紹介者のメールアドレスを記憶しており、前記専用ＵＲＬ通知手段は、前記紹介者に対応する本登録用の専用ＵＲＬ、紹介者用の専用ＵＲＬ、および被紹介者用のＵＲＬを生成して、該本登録用の専用ＵＲＬを前記紹介者に通知し、前記専用ページ送信手段は、ユーザの携帯端末から前記本登録用の専用ＵＲＬにアクセスがあると、該専用ＵＲＬにより紹介者を識別して、該紹介者の本登録用の専用ページを生成して該携帯端末に送信し、ユーザの携帯端末から前記紹介者用の専用ＵＲＬにアクセスがあると、該専用ＵＲＬにより紹介者を識別して、紹介者用の専用ページを生成して該携帯端末に送信し、ユーザの携帯端末から前記被紹介者用の専用ＵＲＬにアクセスがあると、該専用ＵＲＬにより紹介者を識別して、被紹介者用の専用ページを生成して該携帯端末に送信し、前記紹介者本登録手段は、前記本登録用の専用ページから本登録の要求を受信すると、前記本登録を行なうとともに、前記紹介者用の専用ＵＲＬを該携帯端末に通知し、前記紹介メール生成手段は、本文に前記紹介者用の専用ＵＲＬを記載した紹介メールを生成することを特徴としてもよい。
【００１２】
また、本発明は、紹介者であるユーザと、該紹介者による被紹介者であるユーザとをペア登録するサーバ上の紹介方法であって、前記サーバは、前記紹介者のメールアドレスと、前記紹介者の携帯端末の個体識別番号とを記憶する紹介者記憶手段と、前記紹介者のメールアドレスと、前記被紹介者のメールアドレスとを記憶するペア記憶手段とを備え、ユーザの携帯端末から応募メールを受信すると、該応募メールの差出人メールアドレスを前記紹介者記憶手段に記憶することで、紹介者として仮登録する紹介者仮登録ステップと、前記紹介者に対応する専用ＵＲＬを生成して、該専用ＵＲＬを前記紹介者に通知する専用ＵＲＬ通知ステップと、ユーザの携帯端末から前記専用ＵＲＬにアクセスがあると、該専用ＵＲＬにより紹介者を識別して、該紹介者が前記仮登録のみである場合には本登録用の専用ページを生成して該携帯端末に送信し、該紹介者が本登録されている場合には該携帯端末の前記個体識別番号によりアクセス者が紹介者であるかを判断して、紹介者である場合には紹介者用の専用ページを、紹介者でない場合には被紹介者用の専用ページを生成して該携帯端末に送信する専用ページ送信ステップと、前記本登録用の専用ページから本登録の要求を受信すると、受信した携帯端末の前記個体識別番号を前記紹介者記憶手段に記憶することで、前記紹介者を本登録するとともに、前記紹介者用の専用ページを生成して該携帯端末に送信する紹介者本登録ステップと、前記紹介者用の専用ページ上で操作が行なわれると、携帯端末のメールソフトを起動させ、本文に前記専用ＵＲＬを記載した紹介メールを生成する紹介メール生成ステップと、前記被紹介者用の専用ページ上で操作が行なわれると、携帯端末のメールソフトを起動させ、宛先に前記紹介者に一意のメールアドレスを記載した登録メールを生成する登録メール生成ステップと、前記登録メールを受信すると、該登録メールの宛先メールアドレスにより紹介者を識別して、前記紹介者記憶手段に記憶されている該紹介者の前記メールアドレスと、該登録メールの差出人メールアドレスとを前記ペア記憶手段に登録するペア登録ステップとを備えることを特徴とする紹介方法である。
【００１３】
上記のいずれかに記載の紹介システムの各手段をコンピュータに機能させるためのプログラムも、本発明である。
【発明の効果】
【００１４】
本発明の紹介システムによれば、紹介者から被紹介者への紹介メールは、従来のメール送信フォームではなく、紹介者の端末のメールソフトから送信する。さらに、紹介者用の専用ページ上のボタンを、携帯電話を用いてクリックするだけで、携帯電話のメールソフトを起動させ紹介メールを自動的に生成するように記述されているため、紹介者は宛先を入力して送信するだけでよい。また、宛先の入力に端末に記憶されているアドレス帳を利用することができる。したがって、紹介者の負担が非常に軽い。また、紹介者からの直接のメールであるため、被紹介者の安心感も高い。
また、メールに掲載する専用ＵＲＬや、登録メールのメールアドレスは、紹介者に一意の情報を含んでいる必要があるが、本発明では紹介者のメールアドレスを暗号化した情報、または、紹介者のメールアドレスを特定するための文字列を用いている。このように、紹介者の情報をそのまま載せないため、メールが転送されて第三者に見られても、紹介者が特定されることはなく、安全性が高い。
また、本発明は、端末を携帯電話のみに限定する。携帯電話の所有は１人１台（したがってメールアドレスも１人１個）である場合が大勢であるため、重複の少ない情報を収集することができる。また、現在の携帯電話の所有者数および所有者層を考えると、幅広い層のユーザの情報を集めることが期待できる。
【発明を実施するための最良の形態】
【００１５】
以降、本発明の紹介システムの実施形態の例を、図面を参照しながら詳細に説明する。
ここでは、本実施形態の紹介システムを、応募型の懸賞を行なうキャンペーンに用いる場合を例に説明する。すなわち、応募期間を設けてキャンペーンを行ない、期間内に行なわれた紹介について、本実施形態の紹介システムにより紹介者と被紹介者のペアを登録する。そして、期間終了後に、抽選等により選出したペアに賞品等を提供する。なお、これは本実施形態の紹介システムを利用したサービスの一例であり、懸賞以外（例えば、アンケート調査等）に用いてもよい。
【００１６】
また、本実施形態では、ユーザの端末を携帯電話に限定する。本実施形態の紹介システムでは、紹介者であるユーザと、被紹介者であるユーザとを、両者の端末のメールアドレスによりペア登録するため、上述したように、１人１個所有している（すなわちメールアドレスをも１人１個である）場合が多い携帯電話に限定することは、より有効なペア登録につながる。また、現在、携帯電話の所有者数は非常に多く、所有者の層も厚いため、幅広い層のユーザの情報を集めることも期待できる。
【００１７】
＜１．システム概要＞
まず、本実施形態の紹介システムの概要を説明する。
図１は、本実施形態の紹介システムと、紹介者および被紹介者の端末との一連のやり取りを示したチャートである。これに沿って、本実施形態の全体の流れを説明する。
【００１８】
（１−１．紹介者の仮登録）
まず、キャンペーンに応募したい（紹介者になりたい）ユーザが、紹介システムに応募する。本実施形態では、例えば、あらかじめ応募用のメールアドレスを用意し、ウェブサイトや紙媒体等で広告する。そして、ユーザが自分の端末からその応募用メールアドレスに電子メール（以降「応募メール」という）を送信することにより応募を行なう（Ｓ１０５）。応募メールを受信すると、紹介システムは、該ユーザを紹介者として仮登録する（Ｓ１１０）。
【００１９】
（１−２．専用ＵＲＬの生成・通知）
紹介者の仮登録を行なうと、紹介システムは、該紹介者に対応する専用のＵＲＬ（以降「専用ＵＲＬ」という）を生成して、該紹介者に通知する（Ｓ１１５）。専用ＵＲＬは、電子メール（以降「応募確認メール」という）で通知する。
専用ＵＲＬには、紹介者に一意の情報を含める。本実施形態では、例えば、該紹介者の端末のメールアドレス（すなわち、応募メールの差出人アドレス）を暗号化した文字列を紹介者に一意の情報として用いる。暗号化することにより、万一専用ＵＲＬが第三者に知られても、メールアドレスを知られることがないため、紹介者が安心して利用することができる。なお、これに限らず、該紹介者の端末のメールアドレスを一意に識別できるＩＤを紹介者システム側で割り振って、このＩＤまたは、このＩＤを暗号化した文字列を紹介者に一意の情報として用いて、専用ＵＲＬの中に埋め込むようにしてもよい。これにより、さらに、秘匿性の高いものとすることができる。
【００２０】
（１−３．紹介者の本登録）
仮登録された紹介者が端末から専用ＵＲＬにアクセスする（Ｓ１２０）と、紹介システムは、該紹介者の端末に本登録用の専用ページを送信する（Ｓ１２５）。そして、紹介者が本登録用の専用ページ上で本登録を要求する操作を行なう（Ｓ１３０）と、紹介システムは、その紹介者を本登録する（Ｓ１３５）。
紹介者の本登録が完了すると、紹介システムは、紹介者用の専用ページを送信する（Ｓ１４０）。紹介者用の専用ページでは、紹介者は他のユーザを紹介したり、今までに自分が紹介して成立したペアの数を確認したりできる。以降、紹介者は専用ＵＲＬにアクセスすれば紹介者用の専用ページを閲覧できる。
【００２１】
（１−４．紹介メールの生成・送信）
本登録された紹介者は、他のユーザを紹介することができる。紹介は、該他のユーザに紹介メールを送信して専用ＵＲＬを通知することにより行なう。本実施形態では、上述の紹介者用の専用ページにおいて、紹介者がページ上のボタンをクリックする等の操作を行なうと、紹介者の端末のメールソフトを起動して、本文に専用ＵＲＬを記載した紹介メールを自動的に作成するように記述しておく。これにより、ユーザの操作の負担を大きく軽減する。
すなわち、ユーザは、メールソフトが起動され表示された紹介メールの宛先欄に、紹介したいユーザのメールアドレスを入力して（Ｓ１４５）、送信する（Ｓ１５０）だけでよい。さらに、通常、紹介メールを送りたい相手（知人や友人等）のメールアドレスは、端末のアドレス帳に登録されている場合が多いため、従来技術のようにウェブ上の送信フォームを用いる場合に比べ、メールアドレスの入力も非常に簡単である。また、送信フォームと異なり、一度に複数の宛先を指定することもできる。
一方、紹介メールを受信したユーザ（被紹介者）にとっても、差出人が紹介者であるため安心である。
【００２２】
（１−５．登録メールの生成・送信）
被紹介者が端末から紹介メールに記載された専用ＵＲＬにアクセスする（Ｓ１５５）と、紹介システムは、被紹介者用の専用ページを被紹介者の端末に送信する（Ｓ１６０）。そして、被紹介者が被紹介者用の専用ページ上でペア登録の操作をすると、ペア登録の要求が紹介システムに送信される（Ｓ１６５）。すると、紹介システムは、被紹介者の端末に登録確認ページを送信する（Ｓ１７０）。
登録確認ページは、被紹介者がページ上のボタンをクリックする等の操作を行なうと、被紹介者の端末のメールソフトを起動して、紹介システムに送る登録メールを自動的に生成するように記述しておく。
ここで、登録メールの送信先アドレスには、紹介者の情報を含むようにする。本実施形態では、上述の専用ＵＲＬと同様に、紹介者のメールアドレスを暗号化した文字列、または、該紹介者の端末のメールアドレスを一意に識別できるＩＤ等を、登録メールの送信先アドレスに含めるものとする。
被紹介者は、このようにして自動的に生成された登録メールを送信する（Ｓ１７５）だけでよく、負担が非常に少ない。
なお、本実施形態では被紹介者が被紹介者用の専用ページ上でペア登録の操作をすると、被紹介者に登録確認ページを送信して意思確認を行なうものとするが、被紹介者用の専用ページ上のボタンをクリックする等の操作を行なうと、登録メールを自動的に生成するようにしてもよい。
【００２３】
（１−６．ペア登録）
登録メールを受信すると、紹介システムは、紹介者と被紹介者のペア登録を行なう（Ｓ１８０）。具体的には、紹介者のメールアドレスと、被紹介者のメールアドレス（登録メールの送信者アドレス）をペアとして登録する。なお、ペア登録の重複等を防ぐために、ペアが成立するための条件を設けるとよい。本実施形態における条件の例については後で説明する。
ペア登録後、紹介システムは、被紹介者に応募完了を通知するメールを送信（Ｓ１８５）し、紹介者には応募報告を通知するメールを送信する（Ｓ１９０）。これにより、ペアが成立した旨（または、成立しなかった旨）を通知する。
【００２４】
このように、本実施形態の紹介システムによれば、ユーザは簡単な操作で、しかも安心して応募・登録をすることができる。一方、キャンペーンの開催者は、ユーザの情報（メールアドレス）を収集して、例えばメールマガジンの配信等に活用することができる。また、メールアドレスや登録されたペアを利用した他のサービスを提供してもよい。
【００２５】
＜２．システム構成＞
次に、本実施形態の紹介システムの構成を、図面を参照しながら詳細に説明する。
図２は、本実施形態の紹介システムのシステム構成の例である。
サーバ２１０は、本実施形態の紹介システムを用いて応募型の懸賞を行なうキャンペーン・システムをユーザに提供するサーバである。ネットワーク２２０は、インターネット等のネットワークである。ユーザ端末２３０は、ユーザが利用する端末である。
ユーザ端末２３０には、ブラウザ２３１，メールソフト２３２，アドレス帳２３３を格納している。なお、これらは全て従来技術を用いてよい。
本実施形態では、誰でもキャンペーンに参加できるものとする。したがって、ここにいう「ユーザ」とは、所有するユーザ端末２３０でネットワーク２２０を利用できる全ての者である。また、上述したように、本実施形態ではユーザ端末２３０を携帯電話に限定する。
【００２６】
サーバ２１０において、紹介システム２１１は、本実施形態の紹介システムである。キャンペーン・システム２１７は、本実施形態の紹介システム２１１を用いてキャンペーンを行なうシステムであり、ユーザへのキャンペーンの通知や期間終了後の抽選等を行なう。また、キャンペーン期間、当選確率、対応機種等の情報をデータベース等に記憶している。
【００２７】
紹介システム２１１において、紹介者データベース２１２は、応募により紹介者となったユーザの情報を記憶しているデータベースである。
図３（ａ）は、紹介者データベース２１２の主要な項目の例を示した図である。「メールアドレス」は、紹介者のユーザ端末２３０のメールアドレスである。「応募メール受付日時」は、応募メールを受信（上述の図１のＳ１０５）した日時である。「応募確認メール送信日時」は、応募確認メールを送信（図１のＳ１１５）した日時である。
「識別番号」は、紹介者を識別するためのＩＤである。本実施形態では、紹介者がユーザ端末２３０で専用ＵＲＬにアクセスした際に取得される、ユーザ端末２３０の個体識別番号（携帯端末の機体ごとに振られるＩＤ）を識別番号として記憶するものとする。なお、個体識別番号の取得は、従来技術である。また、現在では、携帯端末ごとではなく、ユーザ自身に割り当てられたＩＤを取得できるものもあるため、そちらを識別番号として用いるシステムとしてもよい。
「本登録日時」は、該紹介者を本登録（図１のＳ１３５）した日時である。
紹介者登録処理２１４は、応募したユーザを紹介者データベース２１２に登録するプログラムであり、上述の図１のフローのＳ１０５〜Ｓ１３５（すなわち、紹介者仮登録および紹介者本登録）に対応する処理を行なう。
【００２８】
ペア・データベース２１３は、紹介者と被紹介者のペアを記憶しているデータベースである。
図３（ｂ）は、ペア・データベース２１３の主要な項目の例を示した図である。「紹介者メールアドレス」は、紹介者であるユーザのメールアドレスである。「被紹介者メールアドレス」は、被紹介者であるユーザのメールアドレスである。「結果」は、ペアが成立したかの結果である。なお、本実施形態におけるペア成立の条件の例については後で詳しく説明する。「ペア登録日時」は、ペア登録された日時である。
ペア登録処理２１５は、紹介者と被紹介者のペアをペア・データベース２１３に登録（図１のＳ１８０）するプログラムであり、上述の図１のフローのＳ１５５〜Ｓ１９０に対応する処理を行なう。
【００２９】
専用ページ送信処理２１６は、ユーザ端末２３０から専用ＵＲＬにアクセスがあると、対応する専用ページを生成してユーザ端末に送信するプログラムである。上述の図１で説明したように、本実施形態では、専用ＵＲＬへのアクセスには、（１）仮登録された紹介者が本登録のためにアクセスする場合（図１のＳ１２０）、（２）本登録済みの紹介者が紹介やペア登録状況の閲覧をするためにアクセスする場合（図１のＳ１４０）、（３）被紹介者がペア登録のためにアクセスする場合（図１のＳ１５５）、の３つの場合がある。
専用ページ送信処理２１６は、それぞれに応じて適する専用ページを生成して送信する。すなわち、（１）の場合には本登録用の専用ページを、（２）の場合には紹介者用の専用ページを、（３）の場合には被紹介者用の専用ページを、生成して送信する。
なお、本実施形態では１つの専用ＵＲＬで上述の（１）〜（３）全てに対応しているが、紹介者用と被紹介者用で別の専用ＵＲＬを用意するシステムとしてもよい。また、上述の３つの場合（本登録用、紹介者用、被紹介者用）それぞれの専用ＵＲＬを用意するシステムとしてもよい。
【００３０】
以降、本実施形態の紹介システム２１１における紹介者登録処理２１４，ペア登録処理２１５，専用ページ送信処理２１６について詳しく説明する。また、上述の専用ページ送信処理２１６において複数の専用ＵＲＬを用意する場合についても説明する。
【００３１】
＜３．紹介者登録処理＞
（３−１．仮登録処理）
まず、紹介者登録処理２１４による紹介者の仮登録について説明する。なお、上述の図１のフローでは、Ｓ１０５〜Ｓ１１５のステップに対応している。
図４は、紹介者登録処理２１４における仮登録の手順を示したフローチャートである。
まず、ユーザから応募メールを受信する（Ｓ４０５）と、紹介者登録処理２１４が起動して、以降の処理を行なう。
【００３２】
図５は、応募メールの例を示した図である。応募メール５００において、宛先欄５０５には、あらかじめ用意された応募用のメールアドレス（図５ではｏｕｂｏ＠ｃ−ｒａｋｕｔｅｎ．ｊｐ）を入力する。ここでは応募メールの差出人（すなわち、紹介者）のメールアドレスを取得できればよいため、タイトル欄５１０および本文欄には、何も記入しなくてもよい。なお、このようないわゆる「空メール」による手法は携帯電話向けのサービスにて広く用いられており、ユーザの負担を軽減することができる。
さらに、応募用のメールアドレスは、ウェブページ上に該アドレスへのリンクを載せたり、ＱＲコード等のバーコードに変換して紙媒体に印刷したりするとよい。これにより、ユーザのメールアドレス入力の負担を軽減することができる。
【００３３】
図４に戻り、応募メールを受信する（Ｓ４０５）と、該ユーザが紹介者データベース２１２に登録されているかを確認する（Ｓ４１０）。具体的には、応募メールの差出人メールアドレスが紹介者データベース２１２に登録されているかを確認する。そして、登録されている場合（Ｓ４１０でＹｅｓの場合）には、登録済みである旨を通知して（Ｓ４２０）、処理を終了する。登録済みである旨の通知は、例えば、その旨を記した電子メールを該メールアドレス宛に送信することにより行なう。
一方、紹介者データベース２１２に登録されていない場合（Ｓ４１０でＮｏの場合）には、紹介者データベース２１２に新規登録する（Ｓ４１５）。具体的には、紹介者データベース２１２にメールアドレスおよび応募メール受付日時を登録する。
【００３４】
次に、紹介システムは、該紹介者の専用ＵＲＬを生成する（Ｓ４２５）。上述したように、本実施形態では、紹介者のメールアドレスを暗号化した文字列を、専用ＵＲＬに含めることにより、紹介者に一意の専用ＵＲＬを生成する。例えば、「ｈｔｔｐ：／ｃ−ｒａｋｕｔｅｎ．ｊｐ／＊＊＊＊＊＊」（＊＊＊＊＊＊の部分が暗号化された文字列）のようなＵＲＬとする。したがって、専用ＵＲＬにアクセスがあると、暗号化文字列の部分（上述の＊＊＊＊＊＊の部分）を復号することにより、対応する紹介者を特定することができる。
最後に、紹介システムは、生成した専用ＵＲＬを記載した応募確認メールを自動的に生成して、紹介者のメールアドレスに送信する（Ｓ４３０）。また、紹介者データベース２１２を更新して、応募確認メール送信日時をセットする。
【００３５】
図６は、応募確認メールの例を示した図である。応募確認メール６００において、宛先欄６０５には、紹介者のメールアドレスを入力する。また、タイトル欄６１０には、あらかじめ決められた件名（ここでは「応募確認メール」）を入力する。また、本文欄６１５には、説明文等とともに、上述の専用ＵＲＬを記載する。なお、応募確認メールには、専用ＵＲＬに含まれる暗号化された文字列以外に紹介者を特定できる情報が記載されていないため、万一応募確認メールが第三者に転送されても、紹介者の個人情報が知られるおそれはない。
【００３６】
（３−２．専用ページ送信処理）
上述により仮登録された紹介者は、受信した応募確認メール６００に記載されている専用ＵＲＬをクリックすることにより、本登録をすることができる。
ここで、上述したように、本実施形態では、専用ＵＲＬにアクセスするのは、紹介者である場合と、被紹介者である場合とがある。また、アクセス者が紹介者である場合には、仮登録のみである場合と、本登録済みである場合とがある。
このため、専用ＵＲＬにアクセスしたユーザがこれらのどの場合に該当するかを判断して、それぞれ対応する専用ページ（仮登録のみの紹介者には本登録用の専用ページ、本登録済みの紹介者には紹介者用の専用ページ、被紹介者には被紹介者用の専用ページ）を送信する必要がある。この処理を行なうのが、図２に示した専用ページ送信処理２１６である。
【００３７】
図７は、専用ページ送信処理２１６の手順を示したフローチャートである。
ユーザ端末２３０から専用ＵＲＬへのアクセスを受信する（Ｓ７０５）と、専用ページ送信処理２１６が起動して、以降の処理を行なう。
まず、ユーザ端末２３０が携帯電話であるかを確認する（Ｓ７１０）。上述したように、本実施形態ではキャンペーンへの参加を携帯電話のみに限定しているからである。具体的には、専用ＵＲＬへのアクセス時にＩＰアドレスを取得し、そのＩＰアドレスが、携帯電話のキャリアが公開しているグローバルＩＰアドレスであるか否かにより確認する。また、ＩＰアドレスとともに取得できるブラウザ情報により判断してもよい。なお、これらのデバイス確認方法は従来技術である。
そして、携帯電話ではない場合（Ｓ７１０でＮｏの場合）には、本システムが携帯電話限定である旨を通知して（Ｓ７１５）、処理を終了する。
図８は、携帯電話限定である旨を通知するエラーページの例を示した図である。
【００３８】
図７に戻り、ユーザ端末２３０が携帯電話である場合（Ｓ７１０でＹｅｓの場合）には、現在がキャンペーン期間内であるかを判断する（Ｓ７２０）。そして、キャンペーン期間外である場合（Ｓ７２０でＮｏの場合）には、その旨を通知して（Ｓ７２５）、処理を終了する。
図９は、キャンペーン期間外を通知するページの例を示した図である。
なお、紹介システムにキャンペーン期間を設けない場合には、上述のＳ７２０〜Ｓ７２５のステップは不要である。
【００３９】
キャンペーン期間内である場合（Ｓ７２０でＹｅｓの場合）には、紹介者が本登録済みであるかを判断する（Ｓ７３０）。専用ＵＲＬに対応する紹介者は、専用ＵＲＬに含まれる紹介者のメールアドレスを暗号化した文字列を復号することにより特定できる。また、紹介者が本登録済みであるかどうかは、紹介者データベース２１２を参照して該紹介者の識別番号および本登録日時が記憶されているかを確認することにより判断できる。
紹介者が本登録済みでない、すなわち仮登録のみである場合（Ｓ７３０でＮｏの場合）には、本登録用の専用ページを送信する（Ｓ７３５）。なお、本登録用の専用ページについては、後で詳しく説明する。
【００４０】
一方、紹介者が本登録済みである場合（Ｓ７３０でＹｅｓの場合）には、該専用ＵＲＬにアクセスするユーザは、紹介者である場合と、紹介者からの紹介メールにより専用ＵＲＬを通知された被紹介者である場合がある。従って、紹介者からのアクセスであるかを確認する（Ｓ７４０）。具体的には、専用ＵＲＬへのアクセス時に取得できるユーザ端末２３０の個体識別番号と、後述する本登録処理にて紹介者データベース２１２に記憶された識別番号とを比較して、同じであれば紹介者からのアクセスであると判断し、異なっていれば被紹介者からのアクセスであると判断する。
紹介者であると判断した場合（Ｓ７４０でＹｅｓの場合）には、紹介者用の専用ページを送信する（Ｓ７５０）。なお、紹介者用の専用ページについては、後で詳しく説明する。
一方、被紹介者であると判断した場合（Ｓ７４０でＮｏの場合）には、被紹介者用の専用ページを送信する（Ｓ７４５）。なお、被紹介者用の専用ページについては、後で詳しく説明する。
【００４１】
上述の専用ページ送信処理２１６によれば、キャンペーンへの参加を携帯電話のみに限定することができる。また、紹介者に対応する専用ＵＲＬを１つだけ用意すれば、上記の３つの場合に対応することができる。
なお、紹介者に対応する専用ＵＲＬを２つ（紹介者用と被紹介者用）を生成するシステムとしてもよいし、３つ（本登録用・紹介者用および被紹介作用）生成するシステムとしてもよい。これらの専用ＵＲＬはいずれも、上述の１つ用意する場合と同様に、紹介者を一意に識別できるＵＲＬでなければならない。
【００４２】
紹介者用の専用ＵＲＬと被紹介者用の専用ＵＲＬの２つを用意する場合には、いずれの専用ＵＲＬへのアクセスがあったかにより、アクセス者が紹介者であるか被紹介者であるかを判断する。
具体的には、まず、図４に示す仮登録処理において、紹介者用の専用ＵＲＬと被紹介者用の専用ＵＲＬを生成し（図４のＳ４２５に対応）、仮登録された紹介者には紹介者用の専用ＵＲＬを通知する（図４のＳ４３０に対応）。
そして、図７に示す専用ページ送信処理２１６においては、紹介者用の専用ＵＲＬと被紹介者用の専用ＵＲＬのいずれの専用ＵＲＬにアクセスがあった場合にも、デバイスやキャンペーン期間の確認（Ｓ７１０〜Ｓ７２５に対応）は行なうが、紹介者用の専用ＵＲＬにアクセスがあった場合には、アクセス者が紹介者であると判断して、該紹介者が仮登録のみ（Ｓ７３０でＮｏ）であれば本登録用の専用ページを送信（Ｓ７３５）し、本登録済み（Ｓ７３０でＹｅｓ）であれば紹介者用の専用ページを送信（Ｓ７５０）する。
一方、被紹介者用の専用ＵＲＬにアクセスがあった場合には、アクセス者が被紹介者であると判断して、被紹介者用の専用ページを送信（Ｓ７４５）する。ここで、上述の（１−４．紹介メールの生成・送信）で説明した紹介者から被紹介者への紹介メール（図１のＳ１５０）には、上述の専用ＵＲＬ（共通の専用ＵＲＬ）の代わりに、被紹介者用の専用ＵＲＬを掲載する必要がある。
【００４３】
また、本登録用・紹介者用および被紹介者用の３つの専用ＵＲＬを用意する場合には、いずれの専用ＵＲＬへのアクセスがあったかにより、いずれの専用ページを送信するべきかを判断することができる。
具体的には、まず、図４に示す仮登録処理において、本登録用の専用ＵＲＬ、紹介者用の専用ＵＲＬ、および被紹介者用の専用ＵＲＬを生成し（図４のＳ４２５に対応）、仮登録された紹介者には本登録用の専用ＵＲＬを通知する（図４のＳ４３０に対応）。
そして、紹介者用の専用ＵＲＬは、紹介者の本登録（図１のＳ１３５）を行った後に、該紹介者に通知する。通知の方法は、仮登録後の専用ＵＲＬの通知（応募確認メール）と同様に電子メールで通知してもよいし、上述の専用ＵＲＬを１つ用意する場合と同様に紹介者用の専用ページを送信してもよい。なお、紹介者用の専用ページには紹介者用の専用ＵＲＬも掲載するとよい。
そして、図７に示す専用ページ送信処理２１６においては、本登録用の専用ＵＲＬ、紹介者用の専用ＵＲＬ、被紹介者用の専用ＵＲＬのいずれの専用ＵＲＬにアクセスがあった場合にも、デバイスやキャンペーン期間の確認（Ｓ７１０〜Ｓ７２５に対応）は行なうが、本登録用の専用ＵＲＬにアクセスがあった場合には、アクセス者が仮登録のみの紹介者であると判断して、本登録用の専用ページを送信する（Ｓ７３５）。また、紹介者用の専用ＵＲＬにアクセスがあった場合には、アクセス者が本登録済みの紹介者であると判断して、紹介者用の専用ページを送信する（Ｓ７５０）。
一方、被紹介者用の専用ＵＲＬにアクセスがあった場合には、アクセス者が被紹介者であると判断して、被紹介者用の専用ページを送信（Ｓ７４５）する。ここでも、上述の専用ＵＲＬを２つ用意する場合と同様に、紹介者から被紹介者への紹介メール（図１のＳ１５０）においては、上述の専用ＵＲＬ（共通の専用ＵＲＬ）の代わりに、被紹介者用の専用ＵＲＬを掲載する必要がある。
なお、専用ＵＲＬを３つ用意する場合には、識別番号（個体識別番号）による、紹介者が本登録済みであるかの判断（図７のＳ７３０）も、アクセス者が紹介者であるかの判断（図７のＳ７４０）も不要となるため、紹介者データベース２１２の識別番号も不要となる。
【００４４】
（３−３．本登録処理）
次に、紹介者登録処理２１４による紹介者の本登録について説明する。なお、上述の図１のフローでは、Ｓ１２０〜Ｓ１３５のステップに対応している。
図１０は、本登録用の専用ページの例を示した図である。本登録用の専用ページ１０００には、キャンペーン・システム２１７から取得したキャンペーン期間や、本登録時の注意書き、対応機種一覧へのリンク等を表示している。また、本登録を行なうための「マイページに進む」ボタン１００５を備えている。
「マイページに進む」ボタン１００５をクリックすると、サーバ２１０に本登録の要求が送信され、紹介者登録処理２１４が起動して、紹介者の本登録を行なう。
【００４５】
図１１は、紹介者登録処理２１４における本登録の手順を示したフローチャートである。
紹介者が上述の「マイページに進む」ボタン１００５をクリックすることによりユーザ端末２３０から本登録の要求を受信する（Ｓ１１０５）と、紹介者登録処理２１４が起動して、まず、該ユーザ端末が対応機種であるかを判断する（Ｓ１１１０）。具体的には、上述の個体識別番号とともに取得できるユーザ端末２３０の機種名が、システムで定めている対応機種に含まれるかを判断する。
そして、対応機種でない場合（Ｓ１１１０でＮｏの場合）には、該紹介者のユーザ端末２３０が非対応である旨を通知して、処理を終了する（Ｓ１１１５）。
図１２は、機種非対応である旨を通知するエラーページの例を示した図である。
【００４６】
一方、対応機種である場合（Ｓ１１１０でＹｅｓの場合）には、紹介者データベース２１２への本登録を行なう（Ｓ１１２０）。具体的には、上述の方法によりユーザ端末２３０の個体識別番号を取得して、紹介者データベース２１２の識別番号にセットする。また、本登録日時をセットする。
最後に、紹介者用の専用ページを送信する（Ｓ１１２５）。紹介者は、紹介者用の専用ページ上で、他のユーザを紹介することができる。
以降、本登録された該紹介者がユーザ端末２３０から専用ＵＲＬにアクセスした場合には、上述の専用ページ送信処理２１６により、紹介者用の専用ページが送信される。
【００４７】
＜４．紹介＞
図１３は、紹介者用の専用ページの例を示した図である。専用ページ（紹介者用）１３００には、キャンペーン期間や懸賞の内容等を表示している。また、成立ペア数表示欄１３０５には、該紹介者が紹介したことにより成立したペアの数を表示している。成立ペア数は、ペア・データベース２１３において、紹介者メールアドレスが該紹介者であり、かつ、結果がペア成立である件数をカウントすることにより求めることができる。
他のユーザを紹介したい場合には、「紹介する」ボタン１３１０をクリックする。この「紹介する」ボタン１３１０には、クリックするとメールソフト２３２を起動して、タイトルや本文欄に紹介メールである旨の定型文と専用ＵＲＬを入力した紹介メールを自動的に生成するためのリンク等（例えば、＜Ａ＞タグの「ｍａｉｌｔｏ」等）が記載されている。
【００４８】
これにより、紹介者は、「紹介する」ボタン１３１０をクリックし、起動した紹介メールの宛先アドレス欄に紹介したいユーザのメールアドレスを入力して、送信するだけでよい。さらに、通常、紹介したいユーザは友人・知人等であるため、メールアドレスが紹介者のユーザ端末２３０のアドレス帳２３３に登録されている場合が多いと考えられる。この場合には、紹介者は、メールの宛先アドレス欄にアドレス帳２３３から選択して入力するだけでよい。また、複数の宛先を入力することもできるので、一度に複数人に紹介メールを送ることもできる。このように、本実施形態によれば、従来のメール送信フォームに比べ、ユーザの負担が非常に少ない。
また、本実施形態の紹介メールは、差出人が紹介者本人になるため、被紹介者が安心してメールを見ることができる。
【００４９】
図１４は、紹介メールの例を示した図である。紹介メール１４００において、宛先欄１４０５には、紹介者が入力した、被紹介者のメールアドレスを表示している。タイトル欄１４１０には、あらかじめ決められたタイトル（ここでは「キャンペーンのお誘い」）を表示している。本文欄１４１５には、あらかじめ決められた定型文（キャンペーンの説明等）と、紹介者の専用ＵＲＬが入力されている。なお、図１４の紹介メールは、紹介者が送信するときの紹介メールの例であるので、「Ｔｏ：Ｂさん」と表示されているが、逆に、被紹介者が当該紹介メールを受け取った場合には、この代わりに「Ｆｒｏｍ：Ａさん（または、携帯電話の電子メールアドレス）」と表示される。このように、被紹介者は受け取った紹介メールの送信元（Ｆｒｏｍ）を見ることで、紹介者を特定することが可能である。
被紹介者が専用ＵＲＬ１４２０にアクセスすると、上述の専用ページ送信処理２１６が起動して、被紹介者のユーザ端末２３０に被紹介者用の専用ページを送信する。
なお、上述の応募確認メールと同様、紹介メールにも専用ＵＲＬ以外の紹介者の情報を記載していないため、万一転送された場合にも安全である。
【００５０】
図１５は、被紹介者用の専用ページの例を示した図である。専用ページ（被紹介者用）１５００には、懸賞の内容等が記載されている。
「キャンペーン登録」ボタン１５１０をクリックすると、ペア登録の要求がサーバ２１０に送信される。そうすると、ペア登録処理２１５が起動して、紹介者と被紹介者をペア登録する。
【００５１】
＜５．ペア登録＞
以降、ペア登録処理２１５によるペア登録について説明する。なお、上述の図１のフローでは、Ｓ１５５〜Ｓ１９０のステップに対応している。
図１６（ａ）および（ｂ）は、ペア登録処理２１５の手順を示した図である。
被紹介者が専用ページ（被紹介者用）１５００の「キャンペーン登録」ボタン１５１０をクリックすることにより、被紹介者のユーザ端末２３０からペア登録の要求を受信する（Ｓ１６０５）と、ペア登録処理２１５が起動して、図１６（ａ）に示す一連の処理を行なう。
まず、被紹介者のユーザ端末２３０が対応機種であるかを判断する（Ｓ１６１０）。対応機種であるかの判断は、上述で図１１を用いて説明した紹介者の本登録の場合と同様の方法により行なう。対応機種でない場合（Ｓ１６１０でＮｏの場合）には、その旨を通知して（Ｓ１６１５）、処理を終了する。通知は、紹介者の本登録の場合と同じく、図１２に示したエラーページを送信するとよい。
対応機種である場合（Ｓ１６１０でＹｅｓの場合）には、被紹介者のユーザ端末２３０に、登録確認ページを送信する（Ｓ１６２０）。被紹介者は、登録確認ページ上で、ペア登録の最終的な意思表示を行なう。
【００５２】
図１７は、登録確認ページの例を示した図である。登録確認ページ１７００において、「確認」ボタン１７０５は、上述で説明した図１３の専用ページ（紹介者用）１３００の「紹介する」ボタン１３１０と同じ方法により、クリックするとメールソフトを起動して、登録メールを自動生成するように記述されている。被紹介者は、自動生成された登録メールを送信するだけでよい。
図１８は、登録メールの例を示した図である。登録メール１８００において、宛先欄１８０５には、上述の専用ＵＲＬと同様に、紹介者のメールアドレスを暗号化した文字列を含める。例えば「＊＊＊＊＊＊＠ｃ−ｒａｋｕｔｅｎ．ｊｐ」（＊＊＊＊＊＊部分が暗号化された文字列）とする。これにより、ペア登録処理２１５において、該被紹介者の紹介者が誰であるかを判別することができる。また、登録メール１８００も、図５に示した応募メールと同様、差出人（被紹介者）のメールアドレスをサーバ２１０に伝えることができればよいため、本文やタイトルは空欄の空メールでよい。
【００５３】
被紹介者のユーザ端末２３０からの登録メールを受信する（Ｓ１６５５）と、ペア登録処理２１５を起動して、図１６（ｂ）に示す処理を行なう。
まず、紹介者と被紹介者をペア・データベース２１３に新規登録する。具体的には、紹介者メールアドレス（登録メールの宛先のアカウント部分（上述の＊＊＊＊＊＊の部分）を復号したもの）と、被紹介者メールアドレス（登録メールの差出人アドレス）を記憶する（Ｓ１６６０）。なお、登録メールの宛先のアカウント部分が、紹介者の端末のメールアドレスを一意に識別できるＩＤ、または、ＩＤを暗号化した文字列である場合には、まず、紹介システムが紹介者のメールアドレスを検索して特定した後に、この処理を実行する。
【００５４】
次に、紹介者と被紹介者がペア成立の条件を満たすかを判断する（Ｓ１６６５）。ペア成立の条件は、システムで自由に決めてよいが、本実施形態では、例えば、次のようにする。
（１）紹介者は、何人でも紹介できる。
（２）ただし、被紹介者が既に紹介者となっている（紹介者データベース２１２に登録されている）場合には、ペア登録できない。
（３）また、被紹介者が既に他の紹介者から紹介を受けてペア登録している（ペア・データベース２１３に被紹介者として登録されている）場合にも、ペア登録できない。
なお、この条件は一例であるが、このように、新規のユーザのみを紹介の対象とすることにより、キャンペーンの開催者にとっては、効率的にユーザの個人情報（メールアドレス）を集めることができるとともに、ユーザにとってはゲーム性が増す。
【００５５】
ペア成立の条件を満たす場合（Ｓ１６６５でＹｅｓの場合）には、ペア・データベース２１３を更新して、ペアが成立した旨を記憶する（Ｓ１６７５）。具体的には、ペア・データベース２１３の結果に、ペア成立である旨をセットする。また、ペア登録日時をセットする。
一方、ペア成立の条件を満たさない場合（Ｓ１６６５でＮｏの場合）には、ペア・データベース２１３を更新して、ペアが成立しなかった旨を記憶する（Ｓ１６７０）。具体的には、ペア・データベース２１３の結果に、ペア不成立である旨をセットする。
最後に、ペアの成否を紹介者および被紹介者にメールで通知する（Ｓ１６８０）。
【００５６】
図１９は、ペア成立の場合に被紹介者に送信する応募完了メールの例を示した図である。応募完了メール（ペア成立）１９００において、宛先欄１９０５には被紹介者メールアドレスを入力する。タイトル欄１９１０には、あらかじめ定めたタイトル（ここでは「応募完了メール」）を入力する。本文欄１９１５には、ペアが成立した旨を知らせる文面や、紹介システムのホームページのＵＲＬ等を入力する。
図２０は、ペア成立の場合に紹介者に送信する応募報告メールの例を示した図である。応募報告メール（ペア成立）２０００において、宛先欄２００５には紹介者メールアドレスを入力する。タイトル欄２０１０には、あらかじめ定めたタイトル（ここでは「応募報告メール」）を入力する。本文欄２０１５には、ペアが成立した旨を知らせる文面や、専用ＵＲＬ等を入力する。専用ＵＲＬにアクセスすると、上述の図１３で説明した紹介者用の専用ページを表示し、現在のペア成立数等を確認したり、さらに紹介を行なったりすることができる。
【００５７】
図２１は、ペア不成立の場合に被紹介者に送信する応募完了メールの例を示した図である。応募完了メール（ペア不成立）２１００において、宛先欄２１０５，タイトル欄２１１０は、図１９の応募完了メール（ペア成立）１９００と同様である。一方、本文欄２１１５には、ペアが成立しなかった旨を知らせる文面を入力する。
図２２は、ペア不成立の場合に紹介者に送信する応募報告メールの例を示した図である。応募報告メール（ペア不成立）２２００において、宛先欄２２０５，タイトル欄２２１０は、図２０の応募報告メール（ペア成立）２０００と同様である。一方、本文欄２２１５には、ペアが成立しなかった旨を知らせる文面を入力する。
【００５８】
＜６．抽選＞
キャンペーン期間が終了すると、キャンペーン・システム２１７が抽選を行なって、当選者となるペアを決定する。当選者には、電子メールで賞品の発送等に必要な情報（住所や氏名、賞品が現金の場合には口座番号等）を知らせるように通知する。
また、ウェブページで当選者のイニシャルやニックネームによる当選者発表等を行なってもよい。
【図面の簡単な説明】
【００５９】
【図１】本実施形態の紹介システムと、紹介者および被紹介者の端末との一連のやり取りを示したチャートである。
【図２】本実施形態の紹介システムのシステム構成の例を示した図である。
【図３】（ａ）紹介者データベース、（ｂ）ペア・データベースの主要な項目を示した図である。
【図４】紹介者登録処理における仮登録の手順を示したフローチャートである。
【図５】応募メールの例を示した図である。
【図６】応募確認メールの例を示した図である。
【図７】専用ページ送信処理の手順を示したフローチャートである。
【図８】携帯電話限定である旨を通知するエラーページの例を示した図である。
【図９】キャンペーン期間外を通知するページの例を示した図である。
【図１０】本登録用の専用ページの例を示した図である。
【図１１】紹介者登録処理における本登録の手順を示したフローチャートである。
【図１２】機種非対応である旨を通知するエラーページの例を示した図である。
【図１３】紹介者用の専用ページの例を示した図である。
【図１４】紹介メールの例を示した図である。
【図１５】被紹介者用の専用ページの例を示した図である。
【図１６】ペア登録処理の手順を示した図である。
【図１７】登録確認ページの例を示した図である。
【図１８】登録メールの例を示した図である。
【図１９】ペア成立の場合に被紹介者に送信する応募完了メールの例を示した図である。
【図２０】ペア成立の場合に紹介者に送信する応募報告メールの例を示した図である。
【図２１】ペア不成立の場合に被紹介者に送信する応募完了メールの例を示した図である。
【図２２】ペア不成立の場合に紹介者に送信する応募報告メールの例を示した図である
【符号の説明】
【００６０】
２１０      サーバ
２１２      紹介者データベース
２１３      ペア・データベース
２１４      紹介者登録処理
２１５      ペア登録処理
２１６      専用ページ送信処理
２１７      キャンペーン・システム
２２０      ネットワーク
２３０      ユーザ端末
２３１      ブラウザ
２３２      メールソフト
２３３      アドレス帳
５００      応募メール
６００      応募確認メール
８００      エラーページ
９００      キャンペーン期間外通知ページ
１０００    専用ページ（本登録用）
１２００    エラーページ
１３００    専用ページ（紹介者用）
１４００    紹介ページ
１５００    専用ページ（被紹介者用）
１７００    登録確認ページ
１８００    登録メール
１９００    応募完了メール（ペア成立）
２０００    応募報告メール（ペア成立）
２１００    応募完了メール（ペア不成立）
２２００    応募報告メール（ペア不成立）
【図１】
2008117233.tif 000003
【図２】
2008117233.tif 000004
【図３】
2008117233.tif 000005
【図４】
2008117233.tif 000006
【図５】
2008117233.tif 000007
【図６】
2008117233.tif 000008
【図７】
2008117233.tif 000009
【図８】
2008117233.tif 000010
【図９】
2008117233.tif 000011
【図１０】
2008117233.tif 000012
【図１１】
2008117233.tif 000013
【図１２】
2008117233.tif 000014
【図１３】
2008117233.tif 000015
【図１４】
2008117233.tif 000016
【図１５】
2008117233.tif 000017
【図１６】
2008117233.tif 000018
【図１７】
2008117233.tif 000019
【図１８】
2008117233.tif 000020
【図１９】
2008117233.tif 000021
【図２０】
2008117233.tif 000022
【図２１】
2008117233.tif 000023
【図２２】
2008117233.tif 000024